(57)【特許請求の範囲】
【請求項１】
理論空燃比で運転するストイキモードと、理論空燃比よりも燃料リーンな空燃比で運転するリーンモードとを運転域に応じて切り替える内燃機関において、
吸気の温度を調整する吸気温度調整装置と、
燃料を燃焼室内に或いは吸気ポートに噴射する燃料噴射装置と、
前記燃焼室内の燃焼圧に応じた信号を出力する燃焼圧センサと、
クランク角度に応じた信号を出力するクランク角度センサと、
少なくとも前記燃焼圧センサ及び前記クランク角度センサから信号を取り込み、少なくとも前記吸気温度調整装置及び前記燃料噴射装置を操作する制御装置と、を備え、
前記制御装置は、前記内燃機関が前記リーンモードで運転する場合は、点火時期から燃焼質量割合が所定値に達するクランク角度までのクランク角期間を前記クランク角度センサの信号と前記燃焼圧センサの信号とに基づき計算し、前記クランク角期間が目標クランク角期間に一致するように前記燃料噴射装置の燃料噴射量を調整するように構成され、且つ、
前記制御装置は、前記内燃機関が前記ストイキモードで運転する場合は、前記燃焼室内に入る吸気の温度が第１温度域に入るように前記吸気温度調整装置を操作し、前記内燃機関が前記リーンモードで運転する場合は、前記燃焼室内に入る吸気の温度が前記第１温度域よりも低温の第２温度域に入るように前記吸気温度調整装置を操作するように構成され、なお且つ、
前記制御装置は、前記ストイキモードから前記リーンモードへの切り替え後、前記燃焼室内に入る吸気の温度が前記第２温度域に入るまでの間は、前記燃焼室内に入る吸気の温度が前記第２温度域に入った後よりも前記目標クランク角期間を短くするように構成されている
ことを特徴とする内燃機関。
【請求項２】
前記制御装置は、前記ストイキモードから前記リーンモードへの切り替え後、前記燃焼室内に入る吸気の温度が前記第２温度域に入るまでの間は、前記燃焼室内に入る吸気の温度の低下に応じて前記目標クランク角期間を拡大するように構成されている
ことを特徴とする請求項１に記載の内燃機関。
【発明の詳細な説明】
【技術分野】
【０００１】
本発明は、内燃機関に関し、特に、理論空燃比で運転するストイキモードと、理論空燃比よりも燃料リーンな空燃比で運転するリーンモードとを運転域に応じて切り替える内燃機関に関する。
【背景技術】
【０００２】
特開２０１５−０９４３３９号公報には、リーンモードでの運転時、着火遅れを代表するパラメータであるＳＡ−ＣＡ１０を燃焼圧センサの信号に基づいて計算し、ＳＡ−ＣＡ１０をその目標値に一致させるように燃料噴射量を調整することが開示されている。ＳＡ−ＣＡ１０は、点火時期（ＳＡ）から燃焼質量割合が１０％に達するクランク角度（ＣＡ１０）までのクランク角期間として定義され、空燃比、特に、リーン燃焼が可能な限界空燃比（ドライバビリティの観点でトルク変動が限界に達する空燃比）と相関を有している。ゆえに、ＳＡ−ＣＡ１０の適切な目標値を予め適合により設定しておき、ＳＡ−ＣＡ１０がその目標値になるようにフィードバック制御によって燃料噴射量を調整すれば、空燃比を自ずと限界空燃比に制御することができる。
【０００３】
なお、本出願の出願時点における技術水準を示す文献としては、上記特許文献の他にも、特開２００５−２３３１１６号公報や特開２００８−２５５８８４号公報等が挙げられる。
【先行技術文献】
【特許文献】
【０００４】
【特許文献１】特開２０１５−０９４３３９号公報
【特許文献２】特開２００５−２３３１１６号公報
【特許文献３】特開２００８−２５５８８４号公報
【発明の概要】
【発明が解決しようとする課題】
【０００５】
詳細については後述するが、ＳＡ−ＣＡ１０と空燃比との間に成立する相関関係には、吸気温度（より詳しくは、燃焼室に入る吸気の温度）が影響する。つまり、ＳＡ−ＣＡ１０が同じであっても、吸気温度が異なれば、ＳＡ−ＣＡ１０に基づく燃料噴射量制御で実現される空燃比は異なったものになる。ゆえに、リーンモードでの空燃比の制御精度を高めるための１つの案として、ＳＡ−ＣＡ１０に基づく燃料噴射量制御に加えて、吸気温度の能動的な制御を行うことが検討されている。
【０００６】
ただし、吸気温度の適正値は、内燃機関の運転モードによって異なる。詳細については後述するが、研究の結果、リーンモードに好適な吸気温度は、ストイキモードに好適な吸気温度よりも低いことが判明した。吸気温度を運転モードに応じた適正値に制御するのであれば、ストイキモードからリーンモードへの切り替え時には、それに合わせて吸気温度を低下させる必要がある。しかし、吸気温度を上昇させることは速やかに達成可能であるが、吸気温度を低下させるには時間を要する。ゆえに、ストイキモードからリーンモードへの切り替え時には、吸気温度の低下の遅れによってＳＡ−ＣＡ１０と空燃比との関係にずれが生じることになる。
【０００７】
リーン燃焼が可能な限界空燃比は、吸気温度が高いほどより燃料リーンになる。これは、吸気温度が高いほど、つまり、燃焼室内の温度が高いほど燃料の燃焼性が向上するからである。ゆえに、上記のごとく吸気温度の低下に遅れが生じた場合、ＳＡ−ＣＡ１０に基づく燃料噴射量制御で実現される空燃比は、目標とする空燃比よりもリーン化されたものとなる。空燃比のさらなるリーン化は、一見すると燃費の向上につながるようにも思われる。しかし、ここで起きる燃焼性の向上はあくまでも一時的なものであり、吸気温度の低下にともなってリーン限界空燃比は確実に下がっていく。このため、一時的な燃焼性の向上を受けて空燃比を必要以上にリーン化してしまうと、吸気温度が低下したときに燃焼の不安定を招いてしまうおそれがある。
【０００８】
本発明は、上述の課題に鑑みてなされたものであり、ストイキモードからリーンモードへの切り替え後、吸気温度の低下遅れに起因する一時的な燃焼性の向上を受けて空燃比が必要以上にリーン化されることを回避することができる内燃機関を提供することを目的とする。
【課題を解決するための手段】
【０００９】
本発明に係る内燃機関は、理論空燃比で運転するストイキモードと、理論空燃比よりも燃料リーンな空燃比で運転するリーンモードとを運転域に応じて切り替える内燃機関において、以下の装置及びセンサを備える。
【００１０】
本発明に係る内燃機関は、吸気の温度を調整する吸気温度調整装置と、燃料を燃焼室内に或いは吸気ポートに噴射する燃料噴射装置と、燃焼室内の燃焼圧に応じた信号を出力する燃焼圧センサと、クランク角度に応じた信号を出力するクランク角度センサと、制御装置とを備える。制御装置は、少なくとも燃焼圧センサ及びクランク角度センサから信号を取り込み、少なくとも吸気温度調整装置及び燃料噴射装置を操作するように構成される。
【００１１】
詳しくは、制御装置は、内燃機関がリーンモードで運転する場合は、点火時期から燃焼質量割合が所定割合に達するクランク角度までのクランク角期間（以下、制御対象クランク角期間）をクランク角度センサの信号と燃焼圧センサの信号とに基づき計算し、制御対象クランク角期間が目標クランク角期間に一致するように燃料噴射装置の燃料噴射量を調整するように構成される。また、この制御装置は、内燃機関がストイキモードで運転する場合は、燃焼室内に入る吸気の温度が第１温度域に入るように吸気温度調整装置を操作し、内燃機関がリーンモードで運転する場合は、燃焼室内に入る吸気の温度が第１温度域よりも低温の第２温度域に入るように吸気温度調整装置を操作するように構成される。さらにまた、この制御装置は、ストイキモードからリーンモードへの切り替え後、燃焼室内に入る吸気の温度が第２温度域に入るまでの間は、燃焼室内に入る吸気の温度が第２温度域に入った後よりも目標クランク角期間を短くするように構成される。
【００１２】
このような構成によれば、ストイキモードからリーンモードへの切り替え後、燃焼室内に入る吸気の温度は、第１温度域の温度から第２温度域の温度へと低下していく。そして、その間も、制御対象クランク角期間が目標クランク角期間に一致するように燃料噴射量の調整が行われる。制御対象クランク角期間と空燃比との間には相関関係があるが、その関係には吸気温度が影響し、吸気温度が高いほど同一の制御対象クランク角期間に対応する空燃比はより燃料リーンになる。しかし、上記の構成によれば、吸気温度が第１温度域の温度から第２温度域の温度へと低下している間は、燃焼室内に入る吸気の温度が第２温度域に入った後よりも目標クランク角期間が短くされるので、結果、空燃比が必要以上にリーン化されることは抑えられる。
【００１３】
第１温度域は、第１温度を中心とする誤差範囲で規定される温度域であってよい。第２温度域は、第１温度よりも低温の第２温度を中心とする誤差範囲で規定される温度域であってよい。また、それぞれの温度域を規定する誤差はゼロとしてもよい。つまり、制御装置は、内燃機関がストイキモードで運転する場合は、燃焼室内に入る吸気の温度が第１温度になるように吸気温度調整装置を操作し、内燃機関がリーンモードで運転する場合は、燃焼室内に入る吸気の温度が第１温度よりも低温の第２温度になるように吸気温度調整装置を操作するように構成されてもよい。
【００１４】
また、制御装置は、ストイキモードからリーンモードへの切り替え後、燃焼室内に入る吸気の温度が第２温度域に入るまでの間は、燃焼室内に入る吸気の温度の低下に応じて目標クランク角期間を拡大するように構成されてもよい。これによれば、吸気温度が第１温度域の温度から第２温度域の温度へと低下している間も、吸気温度が第２温度域に入ってからとほぼ同じ空燃比を実現することができる。
【発明の効果】
【００１５】
以上述べたとおり、本発明に係る内燃機関によれば、ストイキモードからリーンモードへの切り替え後、燃焼室内に入る吸気の温度が第２温度域に入るまでの間は、燃焼室内に入る吸気の温度が第２温度域に入った後よりも目標クランク角期間を短くすることが行われるので、吸気温度の低下遅れに起因する一時的な燃焼性の向上を受けて空燃比が不必要にリーン化されることを回避することができる。
【図面の簡単な説明】
【００１６】
【図１】実施の形態の内燃機関の全体の構成を示す図である。
【図２】実施の形態の内燃機関の燃焼室周りの構成を示す図である。
【図３】実施の形態の燃料噴射量制御及び点火時期制御について説明するための図である。
【図４】ＳＡ−ＣＡ１０に基づく燃料噴射量制御において吸気温度が空燃比に与える影響を示す図である。
【図５】目標吸気温度及びＨＴ冷却系の目標エンジン水温をエンジン回転速度及びトルクに関連付けるマップのイメージを示す図である。
【図６】運転モードの変更後のエンジン水温及び吸気温度の変化の様子を示すタイムチャートである。
【図７】吸気温度から目標ＳＡ−ＣＡ１０の補正量を決定するマップのイメージを示す図である。
【図８】実施の形態の燃料噴射量制御の制御フローを示すフローチャートである。
【図９】実施の形態の燃料噴射量制御が吸気温度制御、エンジン水温制御及び点火時期制御とともに実行された場合の内燃機関の動作の一例を示すタイムチャートである。
【発明を実施するための形態】
【００１７】
以下、図面を参照して本発明の実施の形態について説明する。ただし、以下に示す実施の形態において各要素の個数、数量、量、範囲等の数に言及した場合、特に明示した場合や原理的に明らかにその数に特定される場合を除いて、その言及した数に、この発明が限定されるものではない。また、以下に示す実施の形態において説明する構造やステップ等は、特に明示した場合や明らかに原理的にそれに特定される場合を除いて、この発明に必ずしも必須のものではない。
【００１８】
１．内燃機関の全体の構成
図１は、実施の形態の内燃機関の全体の構成を示す図である。内燃機関（以下、単にエンジンという）１は、エンジンブロック３と、エンジンブロック３上に図示しないガスケットを介して配置されるエンジンヘッド２とを有している。
【００１９】
エンジンヘッド２には、吸気通路７０と排気通路８０とが接続されている。吸気通路７０には、その上流からエンジンヘッド２に向かって、コンプレッサ９２、インタークーラ７２、及び電子制御式スロットル７４がこの順で配置されている。スロットル７４よりも下流の吸気通路７０には、エンジンヘッド２に導入される吸気の温度を測定するための吸気温度センサ７６が取り付けられている。排気通路８０には、エンジンヘッド２から下流に向かって、タービン９４及び三元触媒８２がこの順で配置されている。排気通路８０のさらに下流には、図示しないＮＯｘ吸蔵還元型触媒（ＮＳＲ）及び選択還元型触媒（ＳＣＲ）がこの順で配置されている。
【００２０】
コンプレッサ９２とタービン９４はターボ過給機９０を構成する。コンプレッサ９２とタービン９４は、軸受９８によって回転自由に支持された回転軸９６によって連結され、一体となって回転する。なお、排気通路８０には、図示はしていないが、タービン９４をバイパスするタービンバイパス通路と、タービンバイパス通路を開閉するウエストゲートバルブとが設けられている。
【００２１】
エンジン１は、排気通路８０から吸気通路７０へ排気の一部を再循環させるＥＧＲ装置１００を備える。ＥＧＲ装置１００は、ＥＧＲ通路１０２、ＥＧＲクーラ１０４、及びＥＧＲバルブ１０６から構成される。ＥＧＲ通路１０２は、三元触媒８２よりも下流の排気通路８０とコンプレッサ９２よりも上流の吸気通路７０とを接続する。ＥＧＲクーラ１０４はＥＧＲ通路１０２に設けられ、ＥＧＲ通路１０２を流れる排気（ＥＧＲガス）を冷却する。ＥＧＲバルブ１０６は、ＥＧＲガスの流れの方向においてＥＧＲクーラ１０４よりも下流のＥＧＲ通路１０２に設けられている。
【００２２】
エンジン１は、エンジン１の本体及び構成部品を冷却する２系統の冷却システム３０，５０を備える。冷却システム３０，５０はともに冷却水が循環する閉回路として構成され、冷却システム３０と冷却システム５０とで循環する冷却水の温度を異ならせることができる。以下、相対的に低温の冷却水を循環させる冷却システム３０をＬＴ冷却システムと称し、相対的に高温の冷却水を循環させる冷却システム５０をＨＴ冷却システムと称する。また、ＬＴ冷却システム３０において回路内を循環する冷却水をＬＴ冷却水と称し、ＨＴ冷却システム５０において回路内を循環する冷却水をＨＴ冷却水と称する。図１において、ＬＴ冷却システム３０を構成するＬＴ冷却水の流路（以下、ＬＴ流路という）は二重線で描かれ、ＨＴ冷却システム５０を構成するＨＴ冷却水の流路（以下、ＨＴ流路という）は二重破線で描かれている。なお、ＬＴはLow Temperatureの略であり、ＨＴはHigh Temperatureの略である。
【００２３】
ＬＴ冷却システム３０は、ＬＴ冷却水の循環回路を構成する第１ＬＴ流路３２〜第４ＬＴ流路３８と、ＬＴ冷却水を循環させるための電動ウォータポンプ４６とを備える。第１ＬＴ流路３２はインタークーラ７２内を通り、第２ＬＴ流路３４はエンジンヘッド２内の吸気側を通り、第３ＬＴ流路３６はターボ過給機９０の軸受９８を通っている。これら第１ＬＴ流路３２〜第３ＬＴ流路３６は、それぞれ、その両端を第４ＬＴ流路３８の両端に並列に接続されている。第４ＬＴ流路３８にはラジエータ４０が配置されている。第４ＬＴ流路３８は、第１ＬＴ流路３２〜第３ＬＴ流路３６のそれぞれとの間でＬＴ冷却水が循環する回路を形成している。電動ウォータポンプ４６は、第４ＬＴ流路３８のラジエータ４０より下流に設けられている。電動ウォータポンプ４６の吐出量、すなわち、回路内を循環するＬＴ冷却水の流量は、モータの出力を調整することによって任意に変更することができる。
【００２４】
第１ＬＴ流路３２を流れるＬＴ冷却水は、インタークーラ７２内において、インタークーラ７２を通過する吸気との間で熱交換を行う。第２ＬＴ流路３４は、エンジンヘッド２内の各気筒の吸気ポートの近傍を通るように（好ましくは吸気ポートを囲むように）設けられている。第２ＬＴ流路３４を流れるＬＴ冷却水は、エンジンヘッド２を介して吸気ポートを通過する吸気との間で熱交換を行う。ＬＴ冷却水の温度が吸気の温度よりも低温であれば、熱交換によって吸気は冷却されるが、ＬＴ冷却水の温度が吸気の温度よりも高温であれば、熱交換によって吸気は加温される。これらの部位での熱交換によって、燃焼室内に入る吸気の温度はＬＴ冷却水の温度に合わせて調整される。第３ＬＴ流路３６を流れるＬＴ冷却水は、ターボ過給機９０の軸受９８との間で熱交換を行い、軸受９８の過熱を抑制する。
【００２５】
なお、この実施の形態では、第１ＬＴ流路３２と第２ＬＴ流路３４は並列に接続されているが、直列に接続されていてもよい。すなわち、インタークーラ７２を通ったＬＴ冷却水がエンジンヘッド２内の吸気側を通るように流路を配管してもよい。同様に、軸受９８を通る第３ＬＴ流路３６も、第１ＬＴ流路３２や第２ＬＴ流路３４と直列に接続されていてもよい。
【００２６】
ＨＴ冷却システム５０は、ＨＴ冷却水の循環回路を構成する第１ＨＴ流路５２〜第６ＨＴ流路６２と、ＨＴ冷却水を循環させるための電動ウォータポンプ６４と、循環回路内のＨＴ冷却水の流れを制御するための多機能弁６６を備える。第１ＨＴ流路５２はエンジンヘッド２内の排気側を通り、第２ＨＴ流路５４はエンジンブロック３内を通っている。これら第１ＨＴ流路５２及び第２ＨＴ流路５４は、それぞれに多機能弁６６の別々の吸入ポートに接続される。
【００２７】
多機能弁６６は、その詳細については後述するが、２つの吸入ポートと４つの排出ポートとを有している。多機能弁６６の４つの排出ポートには、第３ＨＴ流路５６〜第６ＨＴ流路６２が接続されている。第３ＨＴ流路５６にはラジエータ６０が配置され、第４ＨＴ流路５８はインタークーラ７２内を通り、第５ＨＴ流路５９はＥＧＲクーラ１０４内を通っている。第６ＨＴ流路６２はラジエータ６０、インタークーラ７２及びＥＧＲクーラ１０４をバイパスしている。これら第３ＨＴ流路５６〜第６ＨＴ流路６２は、電動ウォータポンプ６４の吸入ポートに接続されている。電動ウォータポンプ６４の吐出ポートには、第１ＨＴ流路５２及び第２ＨＴ流路５４が接続されている。これにより、第１流路５２及び第２ＨＴ流路５４と、第３ＨＴ流路５６〜第６ＨＴ流路６２とによって、ＨＴ冷却水が循環する回路が形成されている。回路内を循環するＨＴ冷却水の流量は、電動ウォータポンプ６４のモータの出力を調整することによって任意に変更することができる。
【００２８】
ＨＴ冷却水の循環回路を構成する流路のうち、エンジン１の本体或いは構成部品との間で熱交換が行われる流路は、第１ＨＴ流路５２、第２ＨＴ流路５４、第４ＨＴ流路５８、及び第５ＨＴ流路５９である。第１ＨＴ流路５２は、エンジンヘッド２内において各気筒の燃焼室の排気側の壁面近傍を通るように設けられている。前述の第２ＬＴ流路３４が吸気ポートの近傍に局所的に設けられたものであるのに対し、第１ＨＴ流路５２はエンジンヘッド２の全体を通って最終的に排気側からエンジンヘッド２の外に出るように設けられている。第１ＨＴ流路５２のエンジンヘッド２の出口には、エンジンヘッド２の出口におけるＬＴ冷却水の温度を測定するためのエンジン水温センサ６８が設けられている。エンジン水温センサ６８によって測定される温度は、燃焼室の排気側の壁面温度に対応している。第２ＨＴ流路５４は、エンジンブロック３に形成されたシリンダの周壁を囲むウォータジャケットの主要部を構成しシリンダの周壁を全体的に冷却している。第４ＨＴ流路５８は、インタークーラ７２内において、インタークーラ７２を通過する吸気との間で熱交換を行う。前述の第１ＬＴ流路３２がインタークーラ７２内において吸気の流れ方向の下流側に設けられているのに対し、第４ＨＴ流路５８はインタークーラ７２内において吸気の流れ方向の上流側に設けられている。つまり、インタークーラ７２では、まず、ＨＴ冷却水と吸気との間で熱交換が行われ、次に、ＬＴ冷却水と吸気との間で熱交換が行われる。第５ＨＴ流路５９は、ＥＧＲクーラ１０４内において、ＥＧＲクーラ１０４を通過するＥＧＲガスとの間で熱交換を行う。
【００２９】
多機能弁６６は、循環回路内のＨＴ冷却水の温度（エンジン水温センサ６８によって測定されるエンジン水温）に基づいて、２つの吸入ポートに流れ込むＨＴ冷却水の比率、すなわち、第１ＨＴ流路５２を流れるＨＴ冷却水と、第２ＨＴ流路５４を流れるＨＴ冷却水との比率を調整する。例えば、ＨＴ冷却水の温度が低い冷間始動時には、エンジンブロック３を通る第２ＨＴ流路５４の流通を遮断し、エンジンヘッド２を通る第１ＨＴ流路５２の流通のみを許容することが行われる。また、多機能弁６６は、ＨＴ冷却水の温度に基づいて、４つの排出ポートから流れ出すＨＴ冷却水の比率、すなわち、第３ＨＴ流路５６を流れるＨＴ冷却水と、第４ＨＴ流路５８を流れるＨＴ冷却水と、第５ＨＴ流路５９を流れるＨＴ冷却水と、第６ＨＴ流路６２を流れるＨＴ冷却水との比率を調整する。例えば、ＨＴ冷却水の温度が低い冷間始動時には、ラジエータ６０が配置された第３ＨＴ流路５６の流通を遮断し、第４ＨＴ流路５８或いは第６ＨＴ流路６２にＨＴ冷却水を流通させることが行われる。
【００３０】
エンジン１は、制御装置１２０を備える。制御装置１２０は、エンジン１が備える様々な装置及びアクチュエータを操作することにより、エンジン１の運転を制御する。制御装置１２０は、少なくとも１つのＣＰＵ、少なくとも１つのＲＯＭ、少なくとも１つのＲＡＭを有するＥＣＵ（Electronic Control Unit）である。ただし、制御装置１２０は、複数のＥＣＵから構成されていてもよい。制御装置１２０では、ＲＯＭに記憶されているプログラムをＲＡＭにロードし、ＣＰＵで実行することで、エンジン制御に係る様々な機能が実現される。
【００３１】
２．冷却システムの操作
制御装置１２０により操作される対象には、２つの冷却システム３０，５０が含まれる。吸気通路７０からエンジンヘッド２に供給され、燃焼室に入る吸気の温度を制御するため、２つの冷却システム３０，５０の操作が行われる。つまり、制御装置１２０は、燃焼室に入る吸気の温度を第１の制御量（制御すべき状態量）として、冷却システム３０，５０を操作する。
【００３２】
具体的には、ターボ過給機９０による過給時のように吸気温度が高温の場合、制御装置１２０は、インタークーラ７２によって吸気を冷却するように冷却システム３０，５０を操作する。詳しくは、ＬＴ冷却システム３０の電動ウォータポンプ４６を操作して、第１ＬＴ流路３２を流れるＬＴ冷却水の流量を調整するとともに、ＨＴ冷却システム５０の多機能弁６６を操作して、エンジンヘッド２或いはエンジンブロック３から出てきた高温のＨＴ冷却水（ラジエータ６０で冷却されていないＨＴ冷却水）の第４ＨＴ流路５８への流通を遮断する。これらの操作により、第１ＬＴ流路３２を流れるＬＴ冷却水の流量の増減に応じて、インタークーラ７２を通過する吸気に対する冷却量は増減し、吸気の温度が調整される。なお、インタークーラ７２で冷却された吸気は、さらに、エンジンヘッド２内で吸気ポートを通過する際、第２ＬＴ流路３４を流れるＬＴ冷却水との間での熱交換によっても冷却される。
【００３３】
逆に、冷間始動時のように吸気温度が低温の場合、制御装置１２０は、ＨＴ冷却システム５０の多機能弁６６を操作して、第４ＨＴ流路５８へのＨＴ冷却水の流通を許容する。第４ＨＴ流路５８を流れる高温のＨＴ冷却水によってインタークーラ７２を通過する吸気は加熱され、加熱によって昇温された吸気がインタークーラ７２から出てくる。また、制御装置１２０は、ＬＴ冷却システム３０に対する操作として、電動ウォータポンプ４６を停止し、ＬＴ冷却水（ラジエータ４０で冷却された低温のＬＴ冷却水）の第１ＬＴ流路３２への流量を遮断する。これらの操作により、第４ＨＴ流路５８を流れるＨＴ冷却水の流量の増減に応じて、インタークーラ７２を通過する吸気に対する加熱量は増減し、吸気の温度が調整される。
【００３４】
上記のごとく、エンジン１では、燃焼室に入る吸気の温度を制御量として冷却システム３０，５０の操作が行われる。この操作は、本出願の請求項１に記載の“吸気温度調整装置”に対する操作に関係する。この実施の形態では、インタークーラ７２とＬＴ冷却システム３０或いはＨＴ冷却システム５０とで構成される装置が、請求項１に記載の“吸気温度調整装置”に該当する。より詳しくは、過給時のように吸気温度が高温になっている場合、インタークーラ７２では、ＬＴ冷却システム３０により供給されるＬＴ冷却水との熱交換によって吸気が冷却される。よって、この場合においては、インタークーラ７２とＬＴ冷却システム３０とで構成される装置が、請求項１に記載の“吸気温度調整装置”に該当する。一方、冷間始動時のように吸気温度が低温になっている場合、インタークーラ７２では、ＨＴ冷却システム５０により供給されるＨＴ冷却水との熱交換によって吸気が加熱される。よって、この場合においては、インタークーラ７２とＨＴ冷却システム５０とで構成される装置が、請求項１に記載の“吸気温度調整装置”に該当する。
【００３５】
また、制御装置１２０は、エンジンヘッド２の排気側を流れる冷却水の温度（以下、この温度をエンジン水温ともいう）を第２の制御量として、ＨＴ冷却システム５０を操作することも行う。エンジンヘッド２の排気側を流れる冷却水の温度は、エンジンヘッド２の出口に設けられたエンジン水温センサ６８により測定される温度によって表される。エンジン水温センサ６８により測定される温度と目標温度との間に差がある場合、制御装置１２０は、電動ウォータポンプ６４を操作して、第１ＨＴ流路５２を流れるＬＴ冷却水の流量を調整するとともに、多機能弁６６を操作して、第３ＨＴ流路５６へ流れてラジエータ６０で冷却されるＬＴ冷却水の比率を調整する。これらの操作により、第１ＨＴ流路５２を流れるＬＴ冷却水の流量の増減に応じて、また、ラジエータ６０で冷却されるＬＴ冷却水の比率の増減に応じて、エンジンヘッド２の排気側を流れる冷却水の温度が調整される。
【００３６】
３．燃焼室周りの構成
次に、図２を用いてエンジン１の燃焼室周りの構成について説明する。図２には、エンジン１を構成する要素がクランク軸に垂直な１つの平面上に投影して描かれている。エンジン１は、複数のシリンダ４を有する火花点火式の多気筒エンジンである。シリンダ４の数と配置に限定はない。エンジンブロック３のシリンダ４内にはその軸方向に往復動するピストン８が配置されている。エンジンヘッド２の下面には、シリンダ４の上部空間であるペントルーフ形状の燃焼室６が形成されている。
【００３７】
エンジンヘッド２には、燃焼室６に連通する吸気ポート１０及び排気ポート１２が形成されている。吸気ポート１０の燃焼室６に連通する開口部には、吸気バルブ１４が設けられ、排気ポート１２の燃焼室６に連通する開口部には、排気バルブ１６が設けられている。図示はされていないが、吸気ポート１０は、エンジンヘッド２の側面に形成された入口から燃焼室６に連通する開口部に向かう途中で二股に分かれている。吸気ポート１０が二股に分かれる部分の上流には、吸気ポート１０の内部に燃料を噴射するポート噴射弁２４が設けられている。二股に分かれた吸気ポート１０の間であって、吸気ポート１０の下方には、先端が燃焼室６を臨むように、燃焼室６の内部に燃料を噴射する筒内噴射弁２６が設けられている。ポート噴射弁２４と筒内噴射弁２６は燃料噴射装置を構成する。また、燃焼室６の頂部付近には、点火装置を構成する点火プラグ２０と、燃焼圧を計測するための燃焼圧センサ２２が設けられている。
【００３８】
エンジン１は、リーンモードによる運転と、ストイキモードによる運転とを切り替え可能なエンジンである。リーンモードでは、均質性の高い混合気が得られるポート噴射によって、或いはポート噴射を主とするポート噴射と筒内噴射との組み合わせによって燃料リーンな空燃比（例えば、２５程度の空燃比）による運転、すなわち、リーン燃焼による運転が行われる。詳しくは、エンジン１で実現されるリーン燃焼は、燃料濃度の高い混合気の層を点火プラグ２０の周辺に形成する成層リーン燃焼ではなく、燃焼室６の全体に均質な燃料濃度の混合気を分布させる均質リーン燃焼である。また、リーンモードでは、ＥＧＲ装置１００によるＥＧＲガスの導入は行われず、新気のみによるリーン燃焼が行われる。ストイキモードでは、筒内噴射によって、或いは、筒内噴射を主とするポート噴射と筒内噴射との組み合わせによって理論空燃比による運転、すなわち、ストイキ燃焼による運転が行われる。ただし、理論空燃比による運転とは、必ずしも運転空燃比が常に理論空燃比ぴったりであることを意味しない。本明細書においては、運転空燃比が理論空燃比に対して多少リッチ側或いはリーン側にずれていることも、運転空燃比が理論空燃比を中心に小さな振幅で振動していることも、理論空燃比による運転に含まれる。ストイキモードは、リーンモードが選択される運転域よりも高負荷の運転域で選択される。また、この実施の形態のストイキモードでは、ＥＧＲ装置１００によるＥＧＲが実行される。ゆえに、以下の説明では、ＥＧＲが実行されないリーンモードとの区別のため、ＥＧＲが実行されるストイキモードを特にストイキＥＧＲモードと称す。
【００３９】
リーンモード及びストイキＥＧＲモードを実現するための装置及びアクチュエータの操作は、制御装置１２０によって行われる。制御装置１２０には、燃焼圧センサ２２によって得られる燃焼圧データが取り込まれている。この燃焼圧データは、クランク角度センサ１２２から取り込まれるクランク角信号とともに、次に説明する燃料噴射量制御及び点火時期制御に用いられる。なお、制御装置１２０が複数のＥＣＵから構成される場合、燃料噴射量制御や点火時期制御を行うＥＣＵと、前述の吸気温度制御やエンジン水温制御を行うＥＣＵとは別々のＥＣＵであってもよい。
【００４０】
４．燃焼圧データに基づく燃料噴射量制御及び点火時期制御
制御装置１２０は、リーンモードによる運転時には、燃焼圧センサ２２によって得られる燃焼圧データに基づいて燃料噴射量制御と点火時期制御とを行なっている。以下、その詳細について図３を用いて説明する。
【００４１】
制御装置１２０は、燃焼圧センサ２２より得た筒内圧データを用いて、任意のクランク角度θでの筒内の発熱量Ｑを式（１）に従って算出する。ただし、式（１）において、Ｐは筒内圧力、Ｖは筒内容積、κは筒内ガスの比熱比である。また、Ｐ０およびＶ０は、計算開始点θ０（想定される燃焼開始点に対して余裕をもって定められた圧縮行程中の所定クランク角度）での筒内圧力および筒内容積である。
【数１】
0006299795.tif 000002
【００４２】
燃焼期間を含む所定クランク角期間の各クランク角度θにおける発熱量Ｑを算出することができたら、次に、任意のクランク角度θにおける燃焼質量割合（以下、ＭＦＢという）を式（２）に従って算出する。ただし、式（２）において、θstaは燃焼開始点であり、θfinは燃焼終了点である。
【数２】
0006299795.tif 000003
【００４３】
図３は、上記の式（２）に従って算出されたクランク角に対するＭＦＢの波形を表した図である。点火時期ＳＡにて混合気に点火を行った後、ＭＦＢが１０％となる時のクランク角度ＣＡ１０までのクランク角期間として定義されるＳＡ−ＣＡ１０は、着火遅れを代表するパラメータであり、燃焼した混合気の空燃比（特に、リーン燃焼が可能な限界空燃比）との相関性が高いことが知られている。ＳＡ−ＣＡ１０が目標値になるように燃料噴射量をフィードバック制御すれば、空燃比を目標空燃比（リーン限界空燃比）に自ずと近づけることができるようになる。制御装置１２０による燃料噴射量制御では、ＭＦＢの波形から実際のＳＡ−ＣＡ１０を計算し、目標ＳＡ−ＣＡ１０と実際のＳＡ−ＣＡ１０との差に基づいて燃料噴射量を補正することが行われる。なお、エンジン回転速度が変わると、１クランク角度当たりの時間が変化するため、目標ＳＡ−ＣＡ１０は、少なくともエンジン回転速度に応じて設定されていることが好ましい。
【００４４】
また、ＭＦＢが５０％となる時のクランク角度ＣＡ５０は燃焼重心位置に相当する。ＣＡ５０は点火時期ＳＡによって変化する。実現されるトルクが最大となるときの燃焼重心位置にＣＡ５０が一致していれば、そのときの点火時期ＳＡはＭＢＴであると言える。制御装置１２０による点火時期制御では、ＭＦＢの波形から実際のＣＡ５０を計算し、目標ＣＡ５０と実際ＣＡ５０との差に基づいて基本点火時期を補正することが行われる。目標ＣＡ５０も、少なくともエンジン回転速度に応じて設定されていることが好ましい。
【００４５】
上記のごとく、この実施の形態では、燃焼圧センサ２２によって得られる燃焼圧データに基づいてＳＡ−ＣＡ１０とＣＡ５０が計算され、ＳＡ−ＣＡ１０に基づいて燃料噴射量制御が行われるとともに、ＣＡ５０に基づいて点火時期制御が行われる。なお、ＳＡ−ＣＡ１０に基づく燃料噴射量制御は運転モードによらず行うことができるが、この実施の形態では、ＳＡ−ＣＡ１０に基づく燃料噴射量制御はリーンモードによる運転時に行われる。ストイキＥＧＲモードによる運転時には、図示しない空燃比センサ或いは酸素濃度センサの出力に基づく空燃比フィードバック制御が行われるようになっている。
【００４６】
ところで、ＳＡ−ＣＡ１０に基づく燃料噴射量制御は、ＳＡ−ＣＡ１０と空燃比との間には強い相関があるとの前提に立つ。しかし、本出願に係る発明者らの研究により、燃焼に関係する種々のパラメータの中でも、燃焼室６内に入る吸気の温度は、ＳＡ−ＣＡ１０と空燃比との関係に特に強く影響するパラメータであることが判明した。
【００４７】
図４は、ＳＡ−ＣＡ１０が一定となるように燃料噴射量を制御した場合に、燃焼室６内に入る吸気の温度によって空燃比がどのように変化するのかを示した図である。この図に示すように、吸気の温度が相対的に低い場合には、空燃比は相対的に小さい値（すなわち燃料リッチな値）に制御され、吸気の温度が相対的に高い場合には、空燃比は相対的に大きい値（すなわち燃料リーンな値）に制御される。つまり、吸気の温度のばらつきによって目標空燃比と実際の空燃比との間に誤差が生じてしまう。
【００４８】
そこで、この実施の形態に係る吸気温度制御では、制御量である燃焼室６内に入る吸気の温度を積極的に一定とするように冷却システム３０，５０の操作が行われる。
【００４９】
５．吸気温度及びエンジン水温の設定
ＳＡ−ＣＡ１０に基づく燃料噴射量制御の精度を担保するためには、吸気温度を一定にすることが求められる。しかし、吸気温度はそれ自体が燃焼に影響するパラメータであるので、目標とする吸気温度はどのような温度でもよいと言うものではない。また、エンジン水温制御の制御量であるエンジン水温（エンジンヘッド２の排気側を流れる冷却水の温度）も燃焼に影響するパラメータである。よって、エンジン水温についても吸気温度と同様にばらつきがないことが好ましい。
【００５０】
ここで、目標とする吸気温度及びエンジン水温の設定について検討するにあたり、リーンモードとストイキＥＧＲモードのそれぞれにおける課題について以下にまとめて記載する。
【００５１】
リーンモードには、少なくとも次の３つの課題がある。第１の課題は、燃焼のロバスト性を向上させることである。これは、均質リーン燃焼は、混合気の燃料濃度が全体的に薄いため、ストイキ燃焼や成層リーン燃焼に比較して、燃焼を維持する上で外乱に対する制約が多いことによる課題である。第２の課題は、未燃ＨＣの発生を低減させることである。これは、リーン燃焼はストイキ燃焼に比較して燃焼温度が低いため、燃焼室６のクエンチエリアから未燃ＨＣが発生しやすいことによる課題である。そして、第３の課題は、上限空気量を増大させることである。さらなる燃費性能の向上のため、上限空気量を増大させてリーンモードによる運転領域を高負荷側に拡大することが求められている。
【００５２】
ストイキＥＧＲモードには、少なくとも次の３つの課題がある。第１の課題は、燃焼のロバスト性を向上させることである。これは、ストイキＥＧＲモードでは、燃費の改善のために多量のＥＧＲガスが導入されるところ、導入されるＥＧＲ量にはサイクルごとのばらつきがあるために燃焼が不安定になりやすいことによる課題である。第２の課題は、ＥＧＲガスに含まれる水蒸気の結露による凝縮水の発生を抑えることである。これは、ＥＧＲガスには硫黄成分や炭化水素成分が含まれているため、それらが凝縮水に溶けることで凝縮水が酸性化し、エンジン１を腐食或いは劣化させるおそれがあることによる課題である。そして、第３の課題は、高負荷時のノックの発生を抑えることである。これは、負荷が高くなると圧縮端温度が上昇し、ノックが発生しやすくなることによる課題である。
【００５３】
以上の課題を踏まえて検討した結果、この実施の形態では、リーンモードとストイキＥＧＲモードのそれぞれにおける吸気温度（燃焼室６内に入る吸気の温度）及びエンジン水温（エンジンヘッド２の排気側を流れる冷却水の温度）の各目標値を以下のように設定することにした。
【００５４】
まず、吸気温度の目標値の設定について説明する。上記の課題のうち、ストイキＥＧＲモードにおける吸気温度に特に関係するのはストイキＥＧＲモードの第１の課題と第２の課題であり、リーンモードにおける吸気温度に特に関係するのはリーンモードの第１の課題と第３の課題である。各モードにおける吸気温度の目標値は、これらの課題を総合的に達成するための最適吸気温度に設定される。
【００５５】
この実施の形態におけるストイキＥＧＲモードの最適吸気温度（第１温度）は４５℃である。この温度は、標準的な運転条件（この運転条件には、気圧、外気温度、湿度、ＥＧＲ率等が含まれる）における露点温度に相当する温度である。ストイキＥＧＲモードでは、吸気温度センサ７６によって測定される吸気温度が最適吸気温度である４５℃に維持されるように、２つの冷却システム３０，５０が操作される。
【００５６】
凝縮水が発生するリスクを低減する目的では、ストイキＥＧＲモードにおける吸気温度は高いほどよい。しかし、吸気温度が高くなるほど吸入効率は低下してしまう。上記のように吸気温度を露点温度に制御することで、吸入効率の低下を最小限に抑えつつ凝縮水の発生リスクを抑えることができる。ただし、露点温度は運転条件によって変化するが、ストイキＥＧＲモードにおける吸気温度の目標値は標準運転条件での露点温度に固定される。つまり、露点温度が変化したとしても、吸気温度を露点温度に応じて変化させることはしない。これは、ストイキＥＧＲモードでは多量のＥＧＲガスが導入され、ＥＧＲ量のサイクルごとのばらつきが燃焼に影響を与えるところ、吸気温度にもばらつきがあると燃焼の不安定を招くおそれがあるからである。要するに、燃焼のロバスト性を向上させるべく、ストイキＥＧＲモードでも吸気温度を一定に維持することにしている。なお、吸気温度は最適吸気温度丁度に維持されることが好ましいが、最適吸気温度に対するある程度の誤差（例えば１℃程度）は許容してもよい。つまり、最適吸気温度を中心とする誤差範囲で規定される温度域（第１温度域）に吸気温度が入るように、吸気温度の調整を行うようにしてもよい。
【００５７】
一方、リーンモードの最適吸気温度は、ストイキＥＧＲモードの最適吸気温度よりも低温である。再循環を行わないリーンモードでは、ＥＧＲ量がサイクルごとにばらつくことによる燃焼安定性の低下が生じない。このため、ストイキＥＧＲモードよりも相対的に低温の吸気を燃焼室内に供給することができる。この実施の形態におけるリーンモードの最適吸気温度（第２温度）は３５℃である。リーンモードでは、吸気温度センサ７６によって測定される吸気温度が最適吸気温度である３５℃に維持されるように、２つの冷却システム３０，５０が操作される。
【００５８】
吸気温度を最適吸気温度に維持することで、ＳＡ−ＣＡ１０に基づく燃料噴射量制御の精度が向上し、空燃比の目標空燃比に対するずれを抑えることができる。それと同時に、吸入効率の向上による上限空気量の増大によって、リーンモードによる運転領域を高負荷側に拡大することもできる。なお、吸気温度は最適吸気温度丁度に維持されることが好ましいが、最適吸気温度に対するある程度の誤差（例えば１℃程度）は許容してもよい。つまり、最適吸気温度を中心とする誤差範囲で規定される温度域（第２温度域）に吸気温度が入るように、吸気温度の調整を行うようにしてもよい。
【００５９】
次に、エンジン水温の目標値の設定について説明する。上記の課題のうち、ストイキＥＧＲモードにおけるエンジン水温に特に関係するのはストイキＥＧＲモードの第３の課題であり、リーンモードにおけるエンジン水温に特に関係するのはリーンモードの第２の課題である。各モードにおけるエンジン水温の目標値は、これらの課題を総合的に達成するための最適エンジン水温に設定される。
【００６０】
この実施の形態におけるリーンモードの最適エンジン水温は９５℃である。リーンモードでは、エンジン水温センサ６８により測定されるエンジン水温が最適エンジン水温である９５℃に維持されるように、ＨＴ冷却システム５０が操作される。
【００６１】
エンジン水温を最適エンジン水温に維持することで、燃焼室６の壁面温度、特に、排気側の壁面温度を高めることができるので、燃焼室６のクエンチエリアから発生する未燃ＨＣを低減することができる。リーン燃焼はストイキ燃焼に比較して燃焼温度が低く、排気温度が高くならないため、触媒の浄化性能が十分に発揮され難い。このため、エンジン１から出る未燃ＨＣ自体を低減することが求められている。なお、エンジン水温は最適エンジン水温丁度に維持されることが好ましいが、最適エンジン水温に対するある程度の誤差（例えば１℃程度）は許容してもよい。つまり、最適エンジン水温を中心とする誤差範囲で規定される温度域にエンジン水温が入るように、エンジン水温の調整を行うようにしてもよい。
【００６２】
一方、ストイキＥＧＲモードの最適エンジン水温には温度幅があるが、その上限温度はリーンモードの最適エンジン水温よりも低温である。ストイキＥＧＲモードでは、燃焼温度が高く排気温度も高いため、クエンチエリアから未燃ＨＣが発生したとしても十分に機能した触媒によって浄化することができる。このため、リーンモードよりも相対的に低温の冷却水をエンジンヘッドの排気側へ流すことができる。この実施の形態におけるストイキＥＧＲモードの最適エンジン水温は、８８℃を上限温度とする温度範囲内の温度、つまり、８８℃以下の温度である。ただし、８８℃以下の温度とは、いくら低温でも許容されるという意味ではなく、８８℃が好ましいが８８℃よりも低くなることも多少は許容されるという意味である。リーンモードでは、エンジン水温センサ６８により測定されるエンジン水温が８８℃以下の温度に維持されるように、ＨＴ冷却システム５０が操作される。
【００６３】
ストイキＥＧＲモードのエンジン水温をリーンモードのそれよりも低くするのは、ノックの発生を抑えるためである。エンジン水温を低くすると燃焼室６のクエンチエリアから発生する未燃ＨＣは増大しやすくなるが、ストイキ燃焼により高温となった排気の供給を受けて十分に機能した触媒によって未燃ＨＣを浄化することができる。なお、ストイキＥＧＲモードの最適エンジン水温には温度幅が設けられているが、燃焼のロバスト性を向上させる上では、エンジン水温は一定温度に維持されることが好ましい。
【００６４】
以上が、リーンモードとストイキＥＧＲモードのそれぞれにおける吸気温度及びエンジン水温の各目標値に関する説明である。上記のごとく設定された吸気温度及びエンジン水温の各目標値は、制御装置１２０のＲＯＭに記憶されたマップにおいて、エンジン回転速度及びトルクに関連付けて記憶されている。図５は吸気温度及びエンジン水温の各目標値をエンジン-回転速度及びトルクに関連付けるマップのイメージを示す図である。図５中にＨＴと表記している温度がエンジン水温の目標値であり、ＬＴと表記している温度が吸気温度の目標値である。吸気温度制御及びエンジン水温制御を含むエンジン１の各種制御は、エンジン回転速度とトルクとを軸とする２次元平面上に設定された運転域にしたがって行われる。
【００６５】
図５には、エンジン１の運転域として、リーンモードによる運転を行うリーン領域と、ストイキＥＧＲモードによる運転を行うストイキＥＧＲ領域とが設定されている。リーン領域では、上記のごとく吸気温度の目標値は３５℃に設定され、エンジン水温の目標値は９５℃に設定される。ストイキＥＧＲ領域では、吸気温度の目標値は４５℃以上に設定され、エンジン水温の目標値は８８℃以下に設定される。吸気温度の目標値の４５℃以上とは、通常は４５℃が目標値であるが、高負荷域では吸気温度が４５℃より高くなることが許容されることを意味する。
【００６６】
吸気温度制御及びエンジン水温制御は、上記のごとく設定された吸気温度及びエンジン水温の各目標値に基づいて実施される。
【００６７】
６．運転モードの切り替え時の燃料噴量射制御
上記の通り、制御装置１２０は、ＳＡ−ＣＡ１０に基づく燃料噴射量制御の精度を担保するべく、リーンモードにおける吸気温度を３５℃一定に制御している。また、上記の通り、制御装置１２０は、ストイキＥＧＲモードにおける吸気温度は４５℃一定に制御している。このため、ストイキＥＧＲモードからリーンモードへの切り替えの際には、吸気温度を４５℃から３５℃へ低下させることが行われる。具体的には、エンジン１の動作点がストイキＥＧＲ領域からリーン領域に移ると、吸気温度を４５℃から３５℃まで下げるように、運転モードの切り替えのタイミングでＬＴ冷却システム３０の電動ウォータポンプ流量はステップ応答的に増大される。それと同時に、エンジン水温を８８℃以下から９５℃まで上げるべく、ＨＴ冷却システム５０の電動ウォータポンプ流量とラジエータ６０に通じる流路の開度（多機能弁６６の第３ＨＴ流路５６の開度）はステップ応答的に減少される。
【００６８】
しかし、エンジン１から多量の熱が放熱されている環境下では、吸気温度やエンジン水温を上昇させることは容易であるが、吸気温度やエンジン水温を低下させることは容易ではない。図６は、運転モードの変更後のエンジン水温及び吸気温度の変化の様子を示すタイムチャートである。ＨＴ冷却システム５０の操作に対してエンジン水温が応答良く上昇するのに対し、ＬＴ冷却システム３０の操作に対する吸気温度の応答遅れは大きい。このため、運転モードの切り替えから吸気温度が３５℃に低下するまでには、ある程度の時間を要する。
【００６９】
吸気温度が３５℃に低下するまでの間、ＳＡ−ＣＡ１０と空燃比との関係にはずれが生じる。具体的には、吸気温度が３５℃であることを前提に適合されている目標ＳＡ−ＣＡ１０（請求項１における目標クランク角期間）のもとでは、吸気温度が３５℃より高い場合、燃料噴射量は適正値に対して減量補正される。その結果、実現される空燃比は目標空燃比よりも燃料リーンになる。ＳＡ−ＣＡ１０に基づく燃料噴射量制御によって実現される空燃比は、そのときの吸気温度におけるリーン限界空燃比であり、リーン限界空燃比は吸気温度が低いほど低下する。ゆえに、吸気温度が低下するにつれて、空燃比は燃料リッチ側に補正されていく。その際、フィードバック制御の作用によって空燃比がリーン限界空燃比を超えることが繰り返され、その都度、燃焼を不安定にさせてしまう。
【００７０】
そこで、制御装置１２０は、吸気温度が３５℃に低下するまでの間、３５℃の吸気温度に対して適合された目標ＳＡ−ＣＡ１０をそのまま用いるのではなく、現在の吸気温度に応じて補正した目標ＳＡ−ＣＡ１０を用いて燃料噴射量制御を実行する。具体的には、吸気温度センサ７６により測定される吸気温度が高いほど、目標ＳＡ−ＣＡ１０が短くなるように、目標ＳＡ−ＣＡ１０に対する補正量を設定する。これは、吸気温度が高いほど燃焼性が向上するため、ＳＡ−ＣＡ１０、すなわち、点火してから燃焼質量割合が１０％になるまでのクランク角期間は短くなるからである。
【００７１】
図７は、吸気温度から目標ＳＡ−ＣＡ１０の補正量を決定するマップのイメージを示す図である。そのマップによれば、吸気温度が３５℃であれば補正量はゼロであり、吸気温度が３５℃より高い場合には補正量は負の値をとり、吸気温度が高いほど補正量はより大きな負の値となる。なお、目標ＳＡ−ＣＡ１０は少なくともエンジン回転速度に応じて決定されるので、吸気温度から補正量を決定するマップも少なくともエンジン回転速度ごとに用意されていることが好ましい。
【００７２】
ストイキＥＧＲモードからリーンモードへの切り替え時に実行される上記の燃料噴射量制御の制御フローをフローチャートで表したものが図８である。制御装置１２０は、このような制御フローで表されるプログラムをＲＯＭから読み出して実行する。
【００７３】
まず、制御装置１２０は、ステップＳ２において、エンジン水温センサ６８により測定されるエンジン水温が９５℃近傍になったかどうか判定する。９５℃近傍とは、リーンモードでの最適エンジン水温である９５℃を中心とする誤差範囲を意味する。ステップＳ２の判定の意味について詳しく説明すると、まず、制御装置１２０は、エンジン１の動作点がストイキＥＧＲ領域からリーン領域に移ったとき、そのことをストイキＥＧＲモードからリーンモードへの運転モードの変更要求として取得する。制御装置１２０は、運転モードの変更要求を受けて直ちに両方の冷却システム３０，５０を操作し、吸気温度を低下させていくとともにエンジン水温を上昇させていく。図６に例示した通り、エンジン水温の上昇は吸気温度の低下よりも早い。制御装置１２０は、エンジン水温が上昇してリーンモードに好適な温度になったところで、吸気温度の低下を待たずして運転モードのリーンモードへの切り替えを実行し、空燃比をリーン化する。このための判定がステップＳ２で行う判定である。
【００７４】
エンジン水温が９５℃近傍になったことが確認された場合、制御フローはステップＳ４に進む。ステップＳ４では、制御装置１２０は、目標ＳＡ−ＣＡ１０の補正を行う。その補正の方法は前述の通りであって、吸気温度センサ７６によって測定される吸気温度に基づいて目標ＳＡ−ＣＡ１０の補正量を算出し、その補正量によって目標ＳＡ−ＣＡ１０を短縮補正する。吸気温度が３５℃よりも高くとも、吸気温度の３５℃に対するずれに応じて目標ＳＡ−ＣＡ１０を短くすることで、ＳＡ−ＣＡ１０に基づく燃料噴射量制御で実現される空燃比は、必要以上にリーン化されることなく、リーンモードでの目標空燃比の近傍に維持される。
【００７５】
ステップＳ６では、制御装置１２０は、吸気温度センサ７６によって測定される吸気温度が３５℃近傍になったかどうか判定する。３５℃近傍とは、リーンモードでの最適吸気温度である３５℃を中心とする誤差範囲を意味する。目標ＳＡ−ＣＡ１０は最適吸気温度である３５℃を前提に適合されているので、吸気温度が３５℃近傍まで低下すれば、目標ＳＡ−ＣＡ１０の補正を解除することができる。制御装置１２０は、吸気温度が３５℃近傍に低下するまで、ステップＳ４の処理、すなわち、吸気温度に基づく目標ＳＡ−ＣＡ１０の補正を繰り返し実行する。なお、ステップＳ４の処理は、エンジン１のサイクル毎に行われる。吸気温度が３５℃近傍になったことが確認された場合、この制御フローは終了し、その後は通常の燃料噴射量制御が行われる。
【００７６】
７．エンジンの動作の一例
図９は、上述の燃料噴射量制御を吸気温度制御、エンジン水温制御及び点火時期制御とともに実行した場合のエンジン１の動作の一例を示すタイムチャートである。図９には、図５においてエンジン回転速度を一定のままストイキＥＧＲ領域からリーン領域まで負荷を低下させた場合の下記パラメータの時間による変化が描かれている。そのパラメータとは、吸気温度制御及びエンジン水温制御の制御量である吸気温度（ａ）及びエンジン水温（ｂ）と、燃料噴射量制御に係るパラメータである目標ＳＡ−ＣＡ１０（ｃ）と、運転モードの切り替えに係るパラメータである空燃比（ｄ）と、点火時期制御に係るパラメータであるＭＢＴ点火時期（ｅ）と、燃料噴射量制御の制御量である燃料補正量（ｆ）である。また、タイムチャートには、運転モード変更要求のフラグと運転モード変更タイミングのフラグが併せて示されている。
【００７７】
ストイキＥＧＲ領域では、空燃比は理論空燃比に設定される。負荷の低下に応じて過給圧が低下し、過給圧の低下に応じてインタークーラ７２に入る吸気の温度は低下していくが、吸気温度センサ７６により測定される吸気温度は４５℃で一定とされる。これを実現するために、ＬＴ冷却システム３０の電動ウォータポンプ流量は、負荷の低下に応じて低減されている。また、エンジン水温センサ６８により測定されるエンジン水温は８８℃以下に維持される。負荷の低下に応じて冷却損失が低下するため、エンジン水温が一定になるように、ＨＴ冷却システム５０の電動ウォータポンプ流量とラジエータ６０に通じる流路の開度（多機能弁６６の第３ＨＴ流路５６の開度）は、負荷の低下に応じて低減されている。
【００７８】
そして、エンジン１の動作点がストイキＥＧＲ領域からリーン領域に移ると、運転モード変更要求のフラグが立つ。運転モード変更要求のフラグが立ったことを受けて、ＨＴ冷却システム５０の電動ウォータポンプ流量とラジエータ６０に通じる流路の開度（多機能弁６６の第３ＨＴ流路５６の開度）はステップ応答的に低減され、ＬＴ冷却システム３０の電動ウォータポンプ流量はステップ応答的に増大される。これにより、チャート（ａ）に示すように吸気温度は４５℃から低下していき、チャート（ｂ）に示すようにエンジン水温は８８℃から上昇していく。
【００７９】
エンジン水温の上昇は速く、エンジン水温が９５℃近傍まで上昇した時点で、運転モード変更タイミングのフラグが立つ。運転モード変更タイミングのフラグが立ったことを受けて、ＳＡ−ＣＡ１０に基づく燃料噴射量制御が開始され、チャート（ｃ）に示すように目標ＳＡ−ＣＡ１０の設定が行われる。なお、ストイキＥＧＲモードでは、空燃比センサ或いは酸素濃度センサの出力に基づく空燃比フィードバック制御によって空燃比が理論空燃比になるように燃料噴射量が制御されている。このため、ストイキＥＧＲモードでは、目標ＳＡ−ＣＡ１０の設定は行われていない。
【００８０】
運転モードの変更によりＳＡ−ＣＡ１０に基づく燃料噴射量制御が開始されるが、ＬＴ冷却システム３０の操作に対する吸気温度の応答遅れは大きく、直ぐには最適吸気温度である３５℃まで低下しない。このため、吸気温度センサ７６により測定される吸気温度に応じて目標ＳＡ−ＣＡ１０は短縮補正される。チャート（ｃ）において破線は補正していない目標ＳＡ−ＣＡ１０であり、実線は補正された目標ＳＡ−ＣＡ１０である。吸気温度の低下に応じて目標ＳＡ−ＣＡ１０は次第に拡大されていき、吸気温度が３５℃近傍まで低下したら目標ＳＡ−ＣＡ１０の補正量はゼロとされる。この間、制御装置１２０は、実際のＳＡ−ＣＡ１０を補正後の目標ＳＡ−ＣＡ１０に一致させるように基本燃料噴射量に加えるべき燃料補正量を計算する。基本燃料噴射量はリーンモードにおける目標空燃比から計算される燃料噴射量である。
【００８１】
上記のように吸気温度に応じて目標ＳＡ−ＣＡ１０を補正することで、チャート（ｆ）に示すように、燃料噴射量を大きく減量補正するような燃料補正量は算出されない。これにより、運転モードのリーンモードへの切り替え後、空燃比が必要以上にリーン化することは回避され、チャート（ｄ）に示すように、空燃比はリーンモードにおける目標空燃比に維持される。なお、点火時期制御については、ストイキＥＧＲモードとリーンモードの双方において、ＣＡ５０に基づく点火時期制御が行われる。チャート（ｅ）に示すように、リーンモードにおけるＭＢＴ点火時期は、ストイキＥＧＲモードにおけるＭＢＴ点火時期よりも進角側に位置するが、吸気温度が３５℃よりも高くなっている期間のＭＢＴ点火時期は、リーンモードにおける本来のＭＢＴ点火時期よりも遅角側に位置している。吸気温度が高いことで燃焼性が向上するためである。吸気温度が低下するにつれて、ＭＢＴ点火時期は進角側に補正されていく。
【００８２】
８．その他実施の形態
上記の実施の形態では、燃料噴射量制御のためのパラメータとしてＳＡ−ＣＡ１０を用いているが、燃焼室量割合が１０％になるクランク角度（ＣＡ１０）は、あくまでも制御対象クランク角期間の終点の一例である。１０％でなくとも、燃焼室量割合がある決められた割合になるクランク角度が制御対象クランク角期間の終点として定まっていればよい。
【符号の説明】
【００８３】
１  エンジン
２  エンジンヘッド
３  エンジンブロック
４  シリンダ
６  燃焼室
２０  点火プラグ
２２  燃焼圧センサ
２４  ポート噴射弁
２６  筒内噴射弁
３０  ＬＴ冷却システム
５０  ＨＴ冷却システム
６８  エンジン水温センサ
７２  インタークーラ
７６  吸気温度センサ
９０  ターボ過給機
１００  ＥＧＲ装置
１２０  制御装置
１２２  クランク角度センサ
【図１】
0006299795.tif 000004
【図２】
0006299795.tif 000005
【図３】
0006299795.tif 000006
【図４】
0006299795.tif 000007
【図５】
0006299795.tif 000008
【図６】
0006299795.tif 000009
【図７】
0006299795.tif 000010
【図８】
0006299795.tif 000011
【図９】
0006299795.tif 000012